(57)【要約】【課題】一つの原稿読取開始キーが操作された場合に、そのときの状態に応じて、原稿データを自動的に転送することができる原稿読取装置を提供する。【解決手段】原稿読取装置１２０は、原稿読取部１２３、第１接続部２１０、第２接続部２２０、１つの原稿読取開始キー２３０およびＣＰＵ２４０を備える。第１接続部２１０は、原稿読取部１２３で読み取った原稿データを記憶するためのＵＳＢメモリ２７０と接続可能である。第２接続部２２０は、原稿読取部１２３で読み取った原稿データを処理するためのパソコン２８０と接続可能である。１つの原稿読取開始キー２３０は、原稿読取部１２３において原稿の読み取りを開始するためのキーである。ＣＰＵ２４０は、原稿読取開始キー２３０が操作された場合に、第１接続部２１０に接続されたＵＳＢメモリ２７０または第２接続部２２０に接続されたパソコン２８０に原稿読取部１２３で読み取った原稿データを転送する。【選択図】図２
2013146005.tif 000002
【特許請求の範囲】
【請求項１】
原稿を読み取って原稿データを取得するための原稿読取部と、
前記原稿読取部で読み取った原稿データを記憶するための外部メモリと接続可能な少なくとも１つの第１接続部と、
前記原稿読取部で読み取った原稿データを処理するための外部処理端末と接続可能な第２接続部と、
前記原稿読取部において原稿の読み取りを開始するための１つの原稿読取開始キーと、
前記原稿読取開始キーが操作された場合に、前記第１接続部に接続された前記外部メモリまたは前記第２接続部に接続された前記外部処理端末に前記原稿読取部で読み取った原稿データを転送する制御部と、
を備え、
前記制御部は、前記第１接続部に前記外部メモリが接続され、かつ、前記第２接続部に前記外部処理端末が接続されている状態において、前記原稿読取開始キーが操作された場合には、予め設定された優先順位の高い接続部に接続された前記外部メモリまたは前記外部処理端末に前記原稿読取部で読み取った原稿データを転送する
原稿読取装置。
【請求項２】
前記予め設定された優先順位の高い接続部は、前記第１接続部である
請求項１に記載の原稿読取装置。
【請求項３】
前記予め設定された優先順位の高い接続部は、前記第２接続部である
請求項１に記載の原稿読取装置。
【請求項４】
前記制御部は、複数の前記第１接続部のうち予め設定された優先順位の高い前記第１接続部に接続された前記外部メモリに前記原稿読取部で読み取った原稿データを転送する
請求項１〜３のいずれか１項に記載の原稿読取装置。
【請求項５】
前記制御部は、前記第１接続部または前記第２接続部に何も接続されていない状態において、前記原稿読取開始キーが操作された場合には、前記第１接続部に前記外部メモリを接続する必要があるまたは前記第２接続部に前記外部処理端末を接続する必要がある旨を報知する
請求項１〜４のいずれか１項に記載の原稿読取装置。
【請求項６】
請求項１〜５のいずれか１項に記載の原稿読取装置と、
前記原稿読取装置で読み取った原稿データを用紙に印刷する画像形成部と、
を備える画像形成装置。
【発明の詳細な説明】
【技術分野】
【０００１】
本発明は、読み取った原稿の転送先を複数備える原稿読取装置およびこの原稿読取装置を備える画像形成装置に関する。
【背景技術】
【０００２】
原稿読取装置として、原稿を読み取ることで取得した原稿データを、原稿読取装置に接続されたＵＳＢメモリ等の外部メモリに記憶させる、スキャントゥメモリなどと呼ばれる機能を備えたものが知られている。このような原稿読取装置においては、ＵＳＢメモリ等の外部機器をホットプラグを用いて接続可能としている。
【０００３】
しかし、従来の原稿読取装置には、外部メモリの装着時に、ユーザの利便性向上のために適切な表示画面制御を行わせる機能はなかった。
【０００４】
そこで、外部メモリの装着時に、ユーザの利便性の向上のために適切な表示画面制御を行わせることができる原稿読取装置が開発されている（例えば、特許文献１参照。）。
【先行技術文献】
【特許文献】
【０００５】
【特許文献１】特開２０１０−０８７６７０号公報
【発明の概要】
【発明が解決しようとする課題】
【０００６】
しかしながら、原稿読取装置の外部接続口にＵＳＢが接続されている場合は、それに関する処理が行われる可能性が高いのにもかかわらず、ユーザが操作画面上で、その都度モードを切り替えて、操作入力の設定を行う必要があり、入力操作が煩雑であった。
【０００７】
そこで、本発明の目的は、上記課題に鑑み、一つの原稿読取開始キーが操作された場合に、そのときの状態に応じて、原稿データを自動的に転送することができる原稿読取装置を提供することにある。
【課題を解決するための手段】
【０００８】
本発明の原稿読取装置は、原稿読取部、少なくとも１つの第１接続部、第２接続部、１つの原稿読取開始キーおよび制御部を備える。
【０００９】
原稿読取部は、原稿を読み取って原稿データを取得する。少なくとも１つの第１接続部は、原稿読取部で読み取った原稿データを記憶するための外部メモリと接続可能である。第２接続部は、原稿読取部で読み取った原稿データを処理するための外部処理端末と接続可能である。１つの原稿読取開始キーは、原稿読取部において原稿の読み取りを開始するためのキーである。制御部は、原稿読取開始キーが操作された場合に、第１接続部に接続された外部メモリまたは第２接続部に接続された外部処理端末に原稿読取部で読み取った原稿データを転送する。
【００１０】
また、制御部は、第１接続部に外部メモリが接続され、かつ、第２接続部に外部処理端末が接続されている状態において、原稿読取開始キーが操作された場合には、予め設定された優先順位の高い接続部に接続された外部メモリまたは外部処理端末に原稿読取部で読み取った原稿データを転送する。
【００１１】
この構成では、原稿読取開始キーを１つだけ配置すればよく、この原稿読取開始キーを操作すれば、原稿読取部で読み取った原稿データを自動転送できるため、各キーを配置するスペースが充分にない小型の原稿読取装置にも適用することができるとともに、原稿読取装置の操作性を向上させることができる。
【発明の効果】
【００１２】
本発明における原稿読取装置は、一つの原稿読取開始キーが操作された場合に、そのときの状態に応じて、原稿データを自動的に転送することができる。
【図面の簡単な説明】
【００１３】
【図１】本発明の第１実施形態に係る画像形成装置の構成を示す図である。
【図２】本発明の第１実施形態に係る原稿読取装置構成を示すブロック図である。
【図３】本発明の第１実施形態に係る原稿読取装置の制御内容を示すフローチャートである。
【図４】本発明の第２実施形態に係る原稿読取装置の制御内容を示すフローチャートである。
【図５】本発明の第３実施形態に係る原稿読取装置の構成を示すブロック図である。
【図６】本発明の第３実施形態に係る原稿読取装置の制御内容を示すフローチャートである。
【発明を実施するための形態】
【００１４】
以下、本発明の実施形態に係る原稿読取装置を、図面を参照しつつ詳細に説明する。
【００１５】
最初に、本発明の第１実施形態について説明する。
【００１６】
図１は、本発明の第１実施形態に係る画像形成装置１００の構成を示す図である。
【００１７】
画像形成装置１００は、外部から伝達された画像データに応じて、所定のシート（記録用紙）に対して多色または単色の画像を形成するものである。画像形成装置１００は、原稿読取装置１２０、給紙部８０、画像形成部１１０および排紙部９０から構成されている。
【００１８】
原稿読取装置１２０は、原稿載置台１２１、原稿搬送装置１２２および原稿読取部１２３を有する。原稿載置台１２１は、透明ガラスからなり、原稿が載置可能な構成となっている。原稿搬送装置１２２は、原稿トレイに積載された原稿を１枚ずつ搬送する。また、原稿搬送装置１２２は、矢印１２４方向に回動自在に構成され、原稿載置台１２１の上を開放することにより原稿載置台１２１に原稿を置くことができるようになっている。原稿読取部１２３は、原稿搬送装置１２２で搬送中の原稿または原稿載置台１２１に載置された原稿を読み取る。
【００１９】
給紙部８０は、給紙カセット８１、手差し給紙カセット８２、ピックアップローラ８３およびピックアップローラ８４が設けられている。給紙カセット８１は、定形シートを蓄積しておくためのトレイである。手差し給紙カセット８２は、不定形シートを載置することができるトレイである。ピックアップローラ８３は、給紙カセット８１の端部近傍に備えられ、給紙カセット８１からシートを１枚ずつピックアップして用紙搬送路１０１に供給する。同様にピックアップローラ８４は、手差し給紙カセット８２の端部近傍に設けられ、手差し給紙カセット８２からシートを１枚ずつピックアップして用紙搬送路１０１に供給する。
【００２０】
画像形成部１１０は、画像形成ステーション３１，３２，３３，３４、露光ユニット３０、中間転写ベルトユニット５０および定着ユニット７０から構成されている。画像形成ステーション３１，３２，３３，３４は、それぞれ感光体ドラム１０、帯電器２０、現像器４０およびクリーナユニット６０が設けられており、ブラック（Ｋ）、シアン（Ｃ）、マゼンタ（Ｍ）およびイエロー（Ｙ）の各色を用いたカラー画像に応じたものである。本実施形態では、画像形成ステーション３１について説明する。
【００２１】
感光体ドラム１０は、画像形成時に回転し、現像剤像を担持するためのものである。感光体ドラム１０の周囲には、回転方向上流から帯電器２０、露光ユニット３０、現像器４０、中間転写ベルトユニット５０、クリーナユニット６０の順に配置されている。定着ユニット７０は、用紙搬送路１０１上において画像形成部１１０の最も下流に位置する。
【００２２】
帯電器２０は、感光体ドラム１０の表面を所定の電位に均一に帯電させるための帯電手段である。
【００２３】
露光ユニット３０は、帯電された感光体ドラム１０を入力された画像データに応じて露光することにより、その表面に、画像データに応じた静電潜像を形成する機能を有する。露光ユニット３０は、レーザ射出部および反射ミラー等を備えたレーザスキャニングユニット（ＬＳＵ）として構成される。露光ユニット３０は、レーザ光を走査するポリゴンミラーと、ポリゴンミラーによって反射されたレーザ光を感光体ドラム１０に導くためのレンズやミラー等の光学要素が配置されている。
【００２４】
現像器４０は、感光体ドラム１０上に形成された静電潜像をトナーにより顕像化するものである。
【００２５】
中間転写ベルトユニット５０は、中間転写ベルト５１、中間転写ベルト駆動ローラ５２、中間転写ベルト従動ローラ５３、中間転写ローラ５４および中間転写ベルトクリーニングユニット５５を備えている。
【００２６】
中間転写ベルト駆動ローラ５２、中間転写ベルト従動ローラ５３および中間転写ローラ５４は、中間転写ベルト５１を張架して回転駆動させる。また、中間転写ローラ５４は、感光体ドラム１０のトナー像を、中間転写ベルト５１上に転写するための転写バイアスを与える。
【００２７】
中間転写ベルト５１は、感光体ドラム１０に接触するように設けられている。そして、感光体ドラム１０に形成されたトナー像を中間転写ベルト５１に転写することによって、中間転写ベルト５１上にトナー像を形成する機能を有している。
【００２８】
感光体ドラム１０から中間転写ベルト５１へのトナー像の転写は、中間転写ベルト５１の裏側に接触している中間転写ローラ５４によって行われる。中間転写ローラ５４には、トナー像を転写するために高電圧の転写バイアス（トナーの帯電極性（−）とは逆極性（＋）の高電圧）が印加されている。
【００２９】
上述のように感光体ドラム１０上で顕像化された静電潜像は中間転写ベルト５１で積層される。このように積層された画像情報は、中間転写ベルト５１の回転によって、用紙と中間転写ベルト５１との接触位置に配置される転写ローラ５６によって用紙上に転写される。
【００３０】
このとき、中間転写ベルト５１と転写ローラ５６は所定ニップで圧接されるとともに、転写ローラ５６にはトナーを用紙に転写させるための電圧が印加される（トナーの帯電極性（−）とは逆極性（＋）の高電圧）。
【００３１】
また、上記のように、感光体ドラム１０に接触することにより中間転写ベルト５１に付着したトナーもしくは転写ローラ５６によって用紙上に転写が行われず中間転写ベルト５１上に残存したトナーは、中間転写ベルトクリーニングユニット５５によって除去・回収されるように設定されている。中間転写ベルトクリーニングユニット５５には、中間転写ベルト５１に接触する例えばクリーニング部材としてクリーニングブレードが備えられており、クリーニングブレードが接触する中間転写ベルト５１は、裏側から中間転写ベルト従動ローラ５３で支持されている。
【００３２】
クリーナユニット６０は、現像・画像転写後における感光体ドラム１０上の表面に残留したトナーを除去・回収する。
【００３３】
定着ユニット７０は、加熱ローラ７１および加圧ローラ７２を備えており、加熱ローラ７１および加圧ローラ７２は、シートを挟んで回転するようになっている。また加熱ローラ７１は、図示しない温度検出器からの信号に基づいて制御部によって所定の定着温度となるように設定されており、加圧ローラ７２とともにトナーをシートに熱圧着することにより、シートに転写されたトナー像を溶融・混合・圧接し、シートに対して熱定着させる機能を有している。また、加熱ローラ７１を外部から加熱するための外部加熱ベルト７３が設けられている。
【００３４】
排紙部９０は、排紙トレイ９１および排紙ローラ９２を有する。定着ユニット７０を通過した用紙は、排紙ローラ９２を経て排紙トレイ９１に排出される。排紙トレイ９１は、印刷済みのシートを集積するためのトレイである。
【００３５】
また、両面印字要求のときは、上記のように片面印字が終了し定着ユニット７０を通過したシートの後端が排紙ローラ９２で把持されたときに、排紙ローラ９２が逆回転することによってシートを搬送ローラ１０２，１０３に導く。そしてその後レジストローラ１０４を経てシート裏面に印字が行われた後にシートが排紙トレイ９１に排出される。
【００３６】
図２は、本発明の第１実施形態に係る原稿読取装置１２０の構成を示すブロック図である。
【００３７】
原稿読取装置１２０は、原稿読取部１２３、第１接続部２１０、第２接続部２２０、原稿読取開始キー２３０、ＣＰＵ２４０、ＲＯＭ２５０およびＲＡＭ２６０を備える。
【００３８】
原稿読取部１２３は、原稿を読み取って原稿データを取得する。第１接続部２１０は、原稿読取部１２３で読み取った原稿データを記憶するための外部メモリと接続可能である。なお、第１接続部２１０は、少なくとも１つ備えられていればよい。また、外部メモリとは、例えば、ＵＳＢメモリ２７０を示す。第２接続部２２０は、原稿読取部１２３で読み取った原稿データを処理するための外部処理端末と接続可能である。外部処理端末とは、例えば、パソコン２８０を示す。
【００３９】
原稿読取開始キー２３０は、原稿読取部１２３において原稿の読み取りを開始するためのキーである。ここでは、原稿読取開始キー２３０は、１つのみ備えられる。ＣＰＵ２４０は、ＲＯＭ２５０に格納されたプログラムを読み出して実行し、各部を総括的に制御する。また、ＣＰＵ２４０は、原稿読取開始キー２３０が操作された場合に、第１接続部２１０に接続されたＵＳＢメモリ２７０または第２接続部２２０に接続されたパソコン２８０に原稿読取部１２３で読み取った原稿データを転送する。
【００４０】
さらに、ＣＰＵ２４０は、第１接続部２１０にＵＳＢメモリ２７０が接続され、かつ、第２接続部２２０にパソコン２８０が接続されている状態において、原稿読取開始キー２３０が操作された場合には、予め設定された優先順位の高い接続部に接続されたＵＳＢメモリ２７０またはパソコン２８０に原稿読取部１２３で読み取った原稿データを転送する。ＲＡＭ２６０は、ＣＰＵ２４０のワーキングエリアとして活用される。
【００４１】
図３は、本発明の第１実施形態に係る原稿読取装置１２０の制御内容を示すフローチャートである。
【００４２】
ここでは、予め設定された優先順位の高い接続部を、第１接続部２１０として説明する。
【００４３】
ＣＰＵ２４０は、原稿読取部１２３に原稿がセットされるまで待機する（Ｓ１０のＮ）。ＣＰＵ２４０は、原稿読取部１２３に原稿がセットされたと判断すると（Ｓ１０のＹ）、原稿読取開始キー２３０が操作されるまで待機する（Ｓ２０のＮ）。ＣＰＵ２４０は、原稿読取開始キー２３０が操作されたと判断すると（Ｓ２０のＹ）、そのセットされた原稿を読み取る（Ｓ３０）。
【００４４】
その後、ＣＰＵ２４０は、第１接続部２１０にＵＳＢメモリ２７０が接続されているか否かを判断する（Ｓ４０）。ＣＰＵ２４０は、第１接続部２１０にＵＳＢメモリ２７０が接続されていると判断すると（Ｓ４０のＹ）、ＵＳＢメモリ２７０へ原稿データを転送し（Ｓ５０）、本実施形態の制御を終了する。
【００４５】
一方、ＣＰＵ２４０は、第１接続部２１０にＵＳＢメモリ２７０が接続されていないと判断すると（Ｓ４０のＮ）、第２接続部２２０にパソコン２８０が接続されているか否かを判断する（Ｓ６０）。ＣＰＵ２４０は、第２接続部２２０にパソコン２８０が接続されていると判断すると（Ｓ６０のＹ）、パソコン２８０へ原稿データを転送し（Ｓ７０）、本実施形態の制御を終了する。
【００４６】
また一方、ＣＰＵ２４０は、第２接続部２２０にパソコン２８０が接続されていないと判断すると（Ｓ６０のＮ）、第１接続部２１０にＵＳＢメモリ２７０を接続する必要があるまたは第２接続部２２０にパソコン２８０を接続する必要がある旨を報知する（Ｓ８０）。
【００４７】
そして、ＣＰＵ２４０は、第１接続部２１０にＵＳＢメモリ２７０が接続されるかまたは第２接続部２２０にパソコン２８０が接続されるまで待機し（Ｓ９０のＮ）、第１接続部２１０にＵＳＢメモリ２７０が接続されたかまたは第２接続部２２０にパソコン２８０が接続されたと判断すると（Ｓ９０のＹ）、Ｓ４０の制御に戻る。
【００４８】
この構成では、原稿読取開始キー２３０を１つだけ配置すればよく、この原稿読取開始キー２３０を操作すれば、原稿読取部１２３で読み取った原稿データを自動転送できるため、各キーを配置するスペースが充分にない小型の原稿読取装置にも適用することができるとともに、原稿読取装置の操作性を向上させることができる。
【００４９】
次に、本発明の第２実施形態について説明する。なお、本実施形態以降の各実施形態においては、第１実施形態と重複する部分の説明を適宜省略する。
【００５０】
図４は、本発明の第２実施形態に係る原稿読取装置１２０の制御内容を示すフローチャートである。
【００５１】
ここでは、予め設定された優先順位の高い接続部は、第２接続部２２０として説明する。
【００５２】
ＣＰＵ２４０は、原稿読取部１２３に原稿がセットされるまで待機する（Ｓ１１０のＮ）。ＣＰＵ２４０は、原稿読取部１２３に原稿がセットされたと判断すると（Ｓ１１０のＹ）、原稿読取開始キー２３０が操作されるまで待機する（Ｓ１２０のＮ）。ＣＰＵ２４０は、原稿読取開始キー２３０が操作されたと判断すると（Ｓ１２０のＹ）、そのセットされた原稿を読み取る（Ｓ１３０）。
【００５３】
その後、ＣＰＵ２４０は、第２接続部２２０にパソコン２８０が接続されているか否かを判断する（Ｓ１４０）。ＣＰＵ２４０は、第２接続部２２０にパソコン２８０が接続されていると判断すると（Ｓ１４０のＹ）、パソコン２８０へ原稿データを転送し（Ｓ１５０）、本実施形態の制御を終了する。
【００５４】
一方、ＣＰＵ２４０は、第２接続部２２０にパソコン２８０が接続されていないと判断すると（Ｓ１４０のＮ）、第１接続部２１０にＵＳＢメモリ２７０が接続されているか否かを判断する（Ｓ１６０）。ＣＰＵ２４０は、第１接続部２１０にＵＳＢメモリ２７０が接続されていると判断すると（Ｓ１６０のＹ）、ＵＳＢメモリ２７０へ原稿データを転送し（Ｓ１７０）、本実施形態の制御を終了する。
【００５５】
また一方、ＣＰＵ２４０は、第１接続部２１０にＵＳＢメモリ２７０が接続されていないと判断すると（Ｓ１６０のＮ）、第１接続部２１０にＵＳＢメモリ２７０を接続する必要があるまたは第２接続部２２０にパソコン２８０を接続する必要がある旨を報知する（Ｓ１８０）。
【００５６】
そして、ＣＰＵ２４０は、第１接続部２１０にＵＳＢメモリ２７０が接続されるかまたは第２接続部２２０にパソコン２８０が接続されるまで待機し（Ｓ１９０のＮ）、第１接続部２１０にＵＳＢメモリ２７０が接続されたかまたは第２接続部２２０にパソコン２８０が接続されたと判断すると（Ｓ１９０のＹ）、Ｓ１４０の制御に戻る。
【００５７】
この構成では、原稿読取開始キー２３０を１つだけ配置すればよく、この原稿読取開始キー２３０を操作すれば、原稿読取部１２３で読み取った原稿データを自動転送できるため、各キーを配置するスペースが充分にない小型の原稿読取装置にも適用することができるとともに、原稿読取装置の操作性を向上させることができる。
【００５８】
次に、本発明の第３実施形態について説明する。
【００５９】
図５は、本発明の第３実施形態に係る原稿読取装置１２０の構成を示すブロック図である。
【００６０】
本実施形態では、第１接続部が２箇所設けられている。このそれぞれの第１接続部に対して、ＵＳＢメモリを接続可能である。本実施形態では、第１接続部２１０のほうが第１接続部２１１よりも優先順位が高いとして説明する。
【００６１】
図６は、本発明の第３実施形態に係る原稿読取装置１２０の制御内容を示すフローチャートである。
【００６２】
ＣＰＵ２４０は、原稿読取部１２３に原稿がセットされるまで待機する（Ｓ２１０のＮ）。ＣＰＵ２４０は、原稿読取部１２３に原稿がセットされたと判断すると（Ｓ２１０のＹ）、原稿読取開始キー２３０が操作されるまで待機する（Ｓ２２０のＮ）。ＣＰＵ２４０は、原稿読取開始キー２３０が操作されたと判断すると（Ｓ２２０のＹ）、そのセットされた原稿を読み取る（Ｓ２３０）。
【００６３】
その後、ＣＰＵ２４０は、第１接続部２１０および第１接続部２１１の少なくとも一方にＵＳＢメモリ２７０またはＵＳＢメモリ２７１が接続されているか否かを判断する（Ｓ２４０）。ＣＰＵ２４０は、第１接続部２１０および第１接続部２１１の少なくとも一方にＵＳＢメモリ２７０またはＵＳＢメモリ２７１が接続されていると判断すると（Ｓ２４０のＹ）、第１接続部２１０および第１接続部２１１にＵＳＢメモリ２７０およびＵＳＢメモリ２７１がそれぞれ接続されている場合は、ＵＳＢメモリ２７０へ原稿データを転送し（Ｓ２５０）、本実施形態の制御を終了する。
【００６４】
また、ＣＰＵ２４０は、第１接続部２１０または第１接続部２１１にＵＳＢメモリ２７０またはＵＳＢメモリ２７１が接続されていると判断すると（Ｓ２４０のＹ）、ＵＳＢメモリ２７０またはＵＳＢメモリ２７１に原稿データを転送し（Ｓ２５０）、本実施形態の制御を終了する。
【００６５】
一方、ＣＰＵ２４０は、第１接続部２１０または第２接続部２２０にＵＳＢメモリ２７０またはＵＳＢメモリ２７１が接続されていないと判断すると（Ｓ２４０のＮ）、第２接続部２２０にパソコン２８０が接続されているか否かを判断する（Ｓ２６０）。ＣＰＵ２４０は、第２接続部２２０にパソコン２８０が接続されていると判断すると（Ｓ２６０のＹ）、パソコン２８０へ原稿データを転送し（Ｓ２７０）、本実施形態の制御を終了する。
【００６６】
また一方、ＣＰＵ２４０は、第２接続部２２０にパソコン２８０が接続されていないと判断すると（Ｓ２６０のＮ）、第１接続部２１０にＵＳＢメモリ２７０を接続する必要があるまたは第２接続部２２０にパソコン２８０を接続する必要がある旨を報知する（Ｓ２８０）。
【００６７】
そして、ＣＰＵ２４０は、第１接続部２１０にＵＳＢメモリ２７０が接続されるかもしくは第１接続部２１１にＵＳＢメモリ２７１が接続されるかまたは第２接続部２２０にパソコン２８０が接続されるまで待機し（Ｓ２９０のＮ）、第１接続部２１０にＵＳＢメモリ２７０が接続されたかもしくは第１接続部２１１にＵＳＢメモリ２７１が接続されたかまたは第２接続部２２０にパソコン２８０が接続されたと判断すると（Ｓ２９０のＹ）、Ｓ２４０の制御に戻る。
【００６８】
この構成では、複数の第１接続部にそれぞれ優先順位をつけているため、原稿読取開始キー２３０を１つだけ配置すればよく、この原稿読取開始キー２３０を操作すれば、原稿読取部１２３で読み取った原稿データを自動転送できるため、各キーを配置するスペースが充分にない小型の原稿読取装置にも適用することができるとともに、原稿読取装置の操作性を向上させることができる。
【００６９】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７０】
１００−画像形成装置
１１０−画像形成部
１２０−原稿読取装置
１２３−原稿読取部
２１０−第１接続部
２１１−第１接続部
２３０−原稿読取開始キー
２４０−ＣＰＵ
２７０−ＵＳＢメモリ
２７１−ＵＳＢメモリ
２８０−パソコン
【図１】
2013146005.tif 000003
【図２】
2013146005.tif 000004
【図３】
2013146005.tif 000005
【図４】
2013146005.tif 000006
【図５】
2013146005.tif 000007
【図６】
2013146005.tif 000008